(57)【要約】  頑丈で再使用可能な内部枠（１）と交換可能な外側カバー（２）とを含む、本の保護のための、調節可能で接着剤不要のシステム。外側カバーがない状態では、剛性の表表紙パネルおよび裏表紙パネル、本の表紙がその中に配置されるポケット、ならびに背を支持する可撓性で平坦な帯のみが見える。枠の幅は、背支持帯の有効長さと、その後収容することができる本の大きさとを制御する、表紙パネルの後ろに設置された摺動機構によって調節可能にされている。本の表紙を前述のポケットの中に配置し、大きさの適切な調整を行ない次第、枠は、外側カバーに固定される。外側カバーを、その一方または両方の端部に組込まれたフラップを介して閉じた状態に留めることによって、本の頁はさらに保護され、本は完全に包まれてもよい。
2010540288.tif 000002
【特許請求の範囲】
【請求項１】
安定化枠組みと、完全に一体化されかつ容易に交換可能な外側カバーとを含む種類の、ペーパーバックおよびハードカバーの本、雑誌、専門誌、定期刊行物、ならびに関連する製本された読み物、筆記材料および教材を事故による損傷または長期的磨耗および裂けから保護するための、モジュラー設計の、調節可能なシステムであって、前記枠組みは、本の表表紙および裏表紙を各々支持する２つの剛性の裏打ちパネルからなり、前記パネルは、鏡像位置で対称的に位置決めされているので、開いた本を半分にしたもの２つを表わし、前記パネルの各々の表側に、表表紙および裏表紙を所定の位置に保持するように位置決めされたポケットまたは縦方向のストラップの形態の表紙ホルダが取付けられており、前記枠組みパネルは、内側縦方向端縁が、１本以上の可撓性で平坦で輪状の帯で相互に接続されており、前記平坦な帯は、枠組みパネルの各々の内側縦方向端縁近くにある横方向に同等のスリットを通して、かつ幅のより狭い剛性パネルの縦方向端縁近くにある横方向に同等の箇所に位置決めされたスリットを通して編まれることによって、本の背を支持し、前記幅のより狭いパネルは、枠組みの調節機構の最大２つの摺動構成部品のうち１つとして働き、前記摺動構成部品のうち最大１つは、枠組みパネルの各々の後方に位置決めされており、そこから前記摺動構成部品は、鏡像位置で対照的に位置決めされ、枠組みの外側端縁と枠組みの内側端縁にあるスリットの列との間の位置で、速やかに外すことができる面ファスナー型または他の薄型の留め具を用いて枠組みに固定され、前記摺動構成部品の位置決めは、背支持帯の利用可能な可撓性長さと、安定化枠組みに行う調節の程度とを決定し、前記交換可能な外側カバーは、少なくとも１つの表面が大部分滑らかで中央領域が可撓性で全体寸法が調節された安定化枠組みより大きい1枚の材料からなり、前記外側カバーの滑らかな内側表面は、速やかに外すことができる面ファスナー型または他の薄型留め具を用いて、摺動構成部品または平坦な帯のいずれの機能および可撓性も損なわない多数の箇所で、安定化枠組みと一体化されており、前記外側カバーの十分に長い残りの任意の長さは、保護重複フラップとして使用されて、速やかに外すことができる面ファスナー型または他の薄型留め具を用いて外側カバーを外側カバーの別の部分または枠組みに固定することによって、外側カバーを閉じた状態にロックしてもよいことを特徴とする、システム。
【請求項２】
前記摺動構成部品は、枠組みに一体化されていないので、枠組みを調節不可能にしている、請求項１に記載の本保護システム。
【請求項３】
２つ以上の前記枠組みユニットが、背合わせの配置で最も内側の枠組みパネルが合体さた状態で使用されるので、２つ以上の本が収容されることを可能にしている、請求項１および２に記載の本保護システム。
【請求項４】
前記枠組みの裏打ちパネルは、非剛性の材料から作られている、請求項１から３に記載の本保護システム。
【請求項５】
前記平坦な背支持帯は、輪状ではなく線状であり、一連のスリットを通して編まれるのではなく前記帯の端部がその後直接貼付けられている、請求項１から４に記載の本保護システム。
【請求項６】
前記外側カバーは、容易に交換可能ではなく永久または半永久的であるようなやり方で前記枠組みと完全に一体化されていて、枠組みか外側カバーかのいずれかが修理を必要とするときにのみ前記外側カバーが取外し可能であるように設計されていることを意味する、請求項１から５に記載の本保護システム。
【請求項７】
前記外側カバーは、全端縁の周りを封止可能であるので、前記外側カバーに耐候、耐水、防水または気密にされる能力を提供する、請求項１から６に記載の本保護システム。
【請求項８】
前記外側カバーの本体は、１つ以上の材料からなる、請求項１および７に記載の本保護システム。
【請求項９】
前記外側カバーは、しおり、ポケット、ペンホルダおよび持ち手などの外部の役立つ器具の組込みのために変形されている、請求項１から８に記載の本保護システム。
【請求項１０】
前記外側カバーは、背を含みかつ背を取囲む領域に特に関連して、枠の一部のみを覆うように小型化されている、請求項１、２、３、４、５、６、８および９に記載の本保護システム。
【発明の詳細な説明】
【技術分野】
【０００１】
解決しようとする技術的問題および先行技術
この発明は、拡張可能で、よってさまざまな高さ、幅および厚みのペーパーバックおよびハードカバーの本、雑誌、専門誌、定期刊行物ならびに関連する製本された読み物、筆記材料および教材を覆うことができる、モジュラー設計の頑丈な本保護システムに関する。この種類の本保護具は、頻繁に移動させられるまたは手荒に取扱われる野外観察図鑑、旅行案内、整備用マニュアル、学校教科書、および任意の本を覆うのに特によく適している。
【背景技術】
【０００２】
現在、本を保護するために多数の異なる種類のカバーが使用されている。ほとんどは、比較的単純な設計で、紙か薄い可撓性プラスチックかのいずれかから構築されている。当然、磨耗および裂けにより、そのような保護具の寿命は極端に限られている。その単純な構造により、そのようなカバーは、典型的に、より大きなまたはより小さな本に適合するように多少調整することができるが、そのようなカバーは低コストであるため、半ば磨耗したカバーを再使用して別の本を保護することは、実際的でなくかつ望ましくない。より頑丈な材料から作られた他の保護具も構築されているが、これらは、さまざまな大きさの本に適合するように容易に調節可能でない。
【０００３】
したがって、長持ちし、広範に再使用可能なブックカバー／本保護具の究極の目標（‘Holy Grail’）は、本の背、表および裏表紙に応力を加えないものであって、頑丈でいながら薄く、軽量で、調節可能でありながら簡単に装着および取外しされ、端縁が磨耗すると速やかに再び新しくされ（refreshed）、または現在のカバー模様が人気がなくなったまたは流行らなくなったとみなされると様式を新しくされる（restyled）ものであると言うことができる。ペーパーバックの本は、明らかに「隅折れ」（‘dog eared’）頁を形成しやすく、事故による損傷を受けやすいため、カバーに、ハードカバーの本の表紙が提供する種類の保護を頁に対して与えさせることも望ましい。そのような仕様を満たすカバー／保護具は、まだ報告または商業化されていない。
【発明の概要】
【発明が解決しようとする課題】
【０００４】
本発明の目的
この発明の主な目的は、さまざまな大きさの全種類の本、専門誌、定期刊行物、雑誌、および製本された読み物を頑丈に保護することができる、非常に可撓性があり構成可能で使用が簡単な、調節可能な本保護システムを提供することである。
【０００５】
この発明の主題である本保護システムの設計および特徴は、既に市販されている既存のブックカバーと比較すると、相当の利点を提供する。これは、本の完全性を維持する全構成部品、最も本質的には背、表および裏表紙ならびに表紙が背と接続する箇所にかかる応力を、どのように最良に減少させるかの十分な考慮から始まる。
【０００６】
この発明は、本を事故による損傷から保護するために、非使用時、使用者が速やかにかつ簡単に本を閉じた状態に留めるよう促す特徴も含む。美的には、この発明は、本の所有者が、所有者の選択する任意の模様またはイラストがあり、事実上任意の可撓性材料から作られた外側カバーを使用することを可能にするように構成することができる。この特徴単独でも、自分の本をお気に入りのミュージシャンまたはスポーツのスターで覆うことを典型的に好みそれを頻繁に変更するより若い使用者の間でのより広範な利用および本のより良い保護を確実にすることは確かである。
【課題を解決するための手段】
【０００７】
本発明の利点
この発明の主題である本保護システムの利点は、以下の性能試験が示すとおりである。
【０００８】
１−同システムは、わずか５０〜１００または１０００頁以上もの頁がある本を完全に保護することができる。たとえば、試験システムは、以下の寸法の本を容易に収容した。
ａ）  高さ２３０ｍｍ、幅１５５ｍｍおよび厚み７ｍｍ（１６０頁）のペーパーバック、
ｂ）  高さ２２０ｍｍ、幅１４５ｍｍおよび厚み２１ｍｍ（２４０頁）のハードカバー、
ｃ）  高さ１９０ｍｍ、幅１２５ｍｍおよび厚み１６ｍｍ（３４０頁）のペーパーバック、
ｄ）  高さ１９０ｍｍ、幅１２５ｍｍおよび厚み３５ｍｍ（４３０頁）のハードカバー、
ｅ）  高さ２００ｍｍ、幅１３０ｍｍおよび厚み５１ｍｍ（９８０頁）のペーパーバック、
ｆ）  高さ２３０ｍｍ、幅１３０ｍｍおよび厚み５２ｍｍ（１１５０頁）のハードカバー。
より薄い、背のより低い、幅のより狭い本も、試験寸法内に適合するが、より小さい本に対してはより小さいシステムがかなり最適である。同様に、システム全体は完全に拡大縮小可能であり、よって雑誌およびより厚い、背のより高いまたは幅のより広い本は、より大きいシステムで簡単に保護される。
【０００９】
２−通常の使用中、本の全重量をシステムの表表紙領域および裏表紙領域のみを保持することによって支持するときでさえ、覆われているときに本の背または背から表紙への接合部に損傷を与えることは不可能である。本の重量は、保護システムによって吸収され、表表紙および裏表紙は、多くのブックカバーの場合と同様に、しっかりと貼付けまたは接着されているのとは対照的に、システム内で自由に移動することができるため、本のこれらの部分には応力が全くかからない。
【００１０】
３−薄いまたは小さい本設定から厚いまたは大きい本設定への保護システムの調節にかかる時間は、１分未満である。
【００１１】
４−覆われているとき、本をある距離２人の人間の間で投げ、本を開き、本を読み、本を閉じ、本を投げ返すことを本に全く損傷を与えずに繰返し行なうことが全く可能であるという点において、本を完全に「投げることができる」状態にすることができる。同保護システムは、その後直ちに調節され、使用されて、より大きいまたはより小さい本でこの「投げることができる性質」試験を繰返すことができる。この全く実際的でない試験は、単に、システムの頑丈で実用的な性質を説明することが分かる。
【００１２】
５−保護された本を、本の構造的な完全性または頁の損傷の恐れなく、速やかにかつ無造作に通学カバン、ハンドバッグ、スポーツバッグまたはバッグパックに詰め込むことができる。同様に、保護された本は、バッグの底まで落ち、そこに無損傷で長期間留まることができる。
【００１３】
６−本保護システム全体は、単純な構成部品を利用し低コスト大量生産を非常に簡単明瞭なものにするモジュラー設計を有する。これは、万が一不具合が起こった場合、損傷を受けた構成部品を単に交換することで、システムが使用者によって簡単に修理されることも意味する。そのうえ、個々の構成部品の単純さおよびモジュラー設計を考慮に入れると、専用化された構成を作成することも依然として非常に簡単明瞭である。
【００１４】
７−保護システムの磨耗したまたは不要な外側カバーは、１分未満で完全に交換することができる。ほとんどの他のブックカバーとは異なり、変更を行なうために接着剤または切断工具は不要である。なぜなら、すべての新しい外側カバーは、その特定の大きさのシステムによって収容されるすべての本に適合するためである。
【００１５】
８−外側カバーは、使用者の必要および希望に応じて、薄いポリエチレンまたは紙から堅牢なビニールまたはゴムまで、ほぼ任意の可撓性材料から作られてもよい。綿、フェルト、羊毛または毛皮などの素材も用いてもよいが、ただしそれらは枠に効果的な取付けを行なうことができる滑らかな表面で裏打ちされていなくてはならない。外側カバーの大部分（背は保護しないが表紙領域を保護するもの）は、薄い金属または他の剛性のシートからも作られてもよい。
【００１６】
９−無限の数の外側カバーの模様、デザインおよびイラストが可能である。そのうえ、透明な二重（封筒）プラスチック外側カバーは、使用者が使用者独自の写真、図版またはメモを挿入することを可能にするので、プラスチックの強度および磨耗抵抗性に中心装飾層の美的特徴を与えるであろう。
【００１７】
１０−システムは、交換外側カバーを使用者が使用者独自の仕様および美的要求に簡単に「手作り」することができるように設計および構成されて、維持および再び新しくすることを非常に費用対効果が高いものにしてもよい。創造的で美的感覚のある使用者は、必ずやこのシステムのこの相互作用的な局面に特に魅力を感じるであろう。
【００１８】
１１−外部ポケットが簡単に外側カバーに加えられて、小さなノートおよびペンまたは他の必需品を保持してもよい。持ち手も取付けられてもよい。
【００１９】
１２−保護システムは、多数の一体化されたしおりを追加することができるよう設計される。
【００２０】
図面の簡単な説明
この発明は、添付の図面に示されるその好ましい実施例のうち１つを参照して以下にさらに説明される。
【００２１】
図１、図２および図３には、全構造要素がポリプロピレンなどの剛性で薄いプラスチックから作られた３層の枠の構成部品が示されている。図１、２、３および４は、同じ縮尺で描かれている。
【図面の簡単な説明】
【００２２】
【図１】組立てられていない枠の最も内側の層の左右のパネルの上面図である（以下「内側枠」および「内側枠パネル」と称する）。
【図２】組立てられていない枠の最も外側の層の左右のパネルの下面図である（以下「外側枠」および「外側枠パネル」と称する）。
【図３】枠の中心層を含む構成部品の下面図である（以下「厚み調節器」と称する）。左右両方の厚み調節器が示されている。なお、左にある厚み調節器は枠の右半分に属し、右側にあるものは左半分に属する。
【図４】表表紙ホルダ（左側：１）および裏表紙ホルダ（右側：２）の上面図である。
【図５】枠、表紙ホルダおよび背支持帯の構成部品がどのように組立てられるかの概略図である。図に示される背支持帯の長さは、どのように組立てを行うかを説明するために著しく誇張されている。
【図６】枠、表紙ホルダおよび背支持帯の構成部品がどのように組立てられるかの概略図である。図に示される背支持帯の長さは、どのように組立てを行うかを説明するために著しく誇張されている。
【図７】組立てられた内側枠の上面図であり、６本の背支持帯も示されている。示された構成は、薄い本のためのものである。
【図８】組立てられた外側枠の下面図であり、４本の固定されていない厚み調節リボンも示されている。示された構成は、薄い本のためのものである。
【図９】内側枠の上面図であり、固定された厚み調節リボンの位置決めも示されている。示された構成は薄い本のためのものである。
【図１０】外側枠の下面図であり、固定された厚み調節リボンの位置決めも示されている。示された構成は薄い本のためのものである。
【図１１】外側枠の下面図であり、固定された厚み調節リボンおよび伸長された背支持帯の位置決めも示されている。この構成は、厚い本のためのものである。
【図１２】内側枠上での表紙ホルダの配置を説明する上面図であり、厚み調節リボンが表紙ホルダを貫通するために作製された４つの空隙も示されている。
【図１３】外側カバーの上面図（内側）である。
【図１４】外側カバーの下面図（外側）である。
【図１５】固定されていない外側カバー上での内側枠の位置決めを示す内側枠の上面図である。
【図１６】一旦外側カバーに固定された内側枠の上面図である。
【発明を実施するための形態】
【００２３】
図面を参照した発明の詳細な説明
本保護システムの枠の剛性部分は、ポリプロピレンなどの比較的剛性のプラスチックの薄いシートの４つの矩形（本の形状）のパネルからなる（図１および図２）。内側枠パネル（図１）は、フレームの構造および機能に必須のものであり、任意選択的な外側枠パネル（図２）は、強度、剛性および向上した性能を追加する。
【００２４】
図１には、内側枠（１）の２つのパネルと、各々に作られた厚み調節機構を作製するために必須のスリット（２、３および４）とが示されている。外側端縁近くの２つのスリット（２）は、厚み調節リボンが貫通するためのものであり、内側端縁にある６つのスリット（３および４）は、背支持帯のためのものである。背支持帯のうち３本は左厚み調節器と一体化され（３）、３本は、右厚み調節器と一体化される（４）。
【００２５】
図２には、外側枠パネル（１）が示されており、この外側枠パネルは、内側枠パネルと設計が非常に似ている。この発明のこの実施例において、外側枠パネルは、調節機構のための保護カバーとして効果的に働く。主な違いは、貫通スリットではなく面ファスナー型取付箇所（２）があり、この取付箇所に厚み調節リボン（図３参照）が固定されることである。厚み調節器は、枠の中心層を形成し、調節器に取付けられた調節器リボンは、外側枠にあるリボンの取付箇所まで巻きつく前に、内側枠を通過する（図１０参照）。この場合もやはり、６本の背支持帯のためのスリットがある（左調節器用：３、右調節器用：４）。
【００２６】
図３には、本保護システムがさまざまな大きさの本を収容することを可能にする鍵となる構成部品である２つの厚み調節器が示されている。この場合もやはり、調節器の剛性構成部品（１および２）に選択される材料は剛性ポリプロピレンである。各調節器は、「背支持帯側」（１）と「リボン側」（２）とを有する。背支持帯側は、組立て中に背支持帯を挿入するために用意された３つのスリット（５）を有する。２本のリボン（３）（典型的には薄い非弾性の洋裁リボン）が各調節器のリボン側に各端部に１本取付けられており、このリボンは、最終的に外側枠に面テープ型取付箇所（４）を介して固定される。可能な限り最良の性能のために、各厚み調節器の２つの側部は、複数本の短い平坦な弾性テープ（６）を介して接続されている。こういった弾性リンク機構は、行われたすべての調節を緩和するという重要な機能を有するので、使用中になると本にかかるすべての応力を除去する。本保護システムは、精密機器である必要はなく、よって弾性素材の伸長／収縮による厚み調節のいかなる変化もシステムの機能に有害な影響を与えない。そのうえ、弾性リンク機構は、完全にぴったりと合っているがきつく保持またはねじられすぎない状態に本を保つことを助ける。
【００２７】
図４には、薄いが強い透明プラスチックフィルムから典型的に作られる表表紙ホルダ（１）および裏表紙ホルダ（２）が示されており、このホルダは、本を枠の中の所定の位置に保持する。両ホルダの高さは内側および外側枠パネルと同じであるが、幅はより狭くて、本の表紙を簡単に挿入することを可能にする。裏表紙ポケットも、外側カバーを内側枠の右側に取付けるために用いられる面ファスナー型取付箇所（３）を有する（図１６参照）。
【００２８】
本保護システムの主要な構成部品は、図５および図６に集合しており、さまざまな層（１、２、３および４）は、６本の可撓性背支持帯の周りに組立てられる。平均的な仕様について、高さが２３５ｍｍに等しく幅が１２５ｍｍに等しい枠パネルに関しては、背支持帯の長さはおよそ２３０ｍｍであるべきである。使用される平坦な帯は、典型的に、端部が縫い合わされて輪を完成させる（幅がおよそ２５ｍｍの）織られた合成繊維リボンから作られている。すべての６つの場合において、帯は内側および外側枠パネルを通過する（６）。図５と図６との違いは、図５はどのように左厚み調節器が組込まれるかを示し、図６は右調節器の組込みを示す点のみである。図５において、背支持帯は、左調節器のスリットを通る（７）が、右側調節器の前を通過する（８）。逆は、図６における場合である。すべての場合において、各帯は、組立てられた枠との５つの接点を有する。
【００２９】
図７には、一旦６本の背支持帯すべてが挿入され、薄い本を保持するように構成された内側枠（１）の外観が示されている。この時点で、左厚み調節器と編み合わされた帯（２）と右厚み調節器と編み合わされた帯と（３）の間に目に見える区別はもはやない。剛性の、枠を半分にしたもの２つの間の可撓性の橋渡しとての背支持帯の役割もここで明白に明らかである。
【００３０】
図８には、組立てられた枠（１）の下面の外観が、厚み調節リボン（３）の位置決めを特に参照して示されている。リボンは、外側枠まで巻きつく前に枠の中心を内側枠を介して出る（２）（図９参照）。そこでリボン上の面テープ型取付箇所（４）を外側枠上のもの（５）に固定することによって、本の厚み調節は、所定の位置でロックされる（図１０および図１１参照）。
【００３１】
図９には、調節器リボンが巻きついて外側枠上で固定される前に内側枠（１）を出る位置（２）が示されている。
【００３２】
図１０および図１１には、それぞれ、薄い本および厚い本の場合において、本保護システムの内側枠がどのように構成され固定されるのかが比較されている。薄い本の場合において（図１０）、調節リボン（２）は、外側枠（１）に取付けられる前に完全に伸長した状態であるので、背支持帯（３）がその最も短い状態であることを意味する。逆に、図１１には、厚い本のための構成が示されており、背支持帯（３）の伸長により、調節リボン（２）は、その最も短い状態である。したがって、外側枠（１）に固定されると、面ファスナー型留め具の一部は、用いられないままであり、よって見えている（４）。
【００３３】
図１２は、表紙ホルダ（２）が組立てられた枠（１）にどのように接続され、枠自体が一体としてどのように一緒に保持されるのかを説明する働きをする。ホルダの最上部、底部および外側端縁に対応する太線（３）は、表紙ホルダと、内側および外側両方の枠パネルとを縫い合わせるか、ホッチキスで留め合わせるか、または他の方法で接合する箇所を示す。表紙ホルダの内側端縁は、当然ながら、開いていて縫われないままであり（４）、４本の調節器リボンが内側枠を出る箇所も同様である（５）。
【００３４】
一旦枠の組立てが完成すると、枠を外側カバーと一体化させることのみが残っている。外側カバーのうち最も頑丈なもののために試され、試験された材料は、ビニールであるが、より軽いプラスチックおよび任意の数の他の材料も疑いなく用いることができる。図１３には、代表的な外側カバー（１）の内側が示されている。基本的な設計は、枠の左端縁がその中に配置されるポケット（２）を備えた矩形シートを包含する（図１６参照）。ポケットは、内側端縁（３）が開いたままであり、他の３つの側面（４）が外側カバーに縫付けられている。外側カバーの内側も、枠の右手側を固定するための面テープ型取付箇所（５）とフラップを固定するための面テープ型取付箇所（６。図１４参照）とを含み、このフラップは、重なって、外側カバーを閉じた状態に留める。
【００３５】
図１４には、外側カバー（１）の外側の非常に単純な特徴が示されている。カバーのフラップ（３）は、主カバーから折り目（４）によって分離されており、この折り目は、不使用時、フラップが平らになることを助けるために使用される。本が開いており、使用中のとき、フラップは、本の（そのとき保護されている）表表紙と最初の頁との間にあるように設計されている。閉じているとき、カバーフラップは、内側から（図１３参照）外側カバーの外側対向端部にある面ファスナー型取付箇所（２）に固定されている。
【００３６】
図１５には、最終組立前の枠（１）と外側カバー（２）とが示されている。この枠の左手端縁は、ポケットの真上に位置決めされて見えており、このポケットの中に左手端縁は配置されて、一体化されたシステムを完成する。これに加えて、図１６には、一旦、外側カバー（２）の内側にあるポケット（４）の開いた端縁（３）に挿入された枠（１）の外観が示されている。図１６には、留め合わされると枠を外側カバーにロックして、システムを完成させる、枠にある面ファスナー型取付箇所（５）と外側カバーの右手側にある面ファスナー型取付箇所（６）とも示されている。
【図１】
2010540288.tif 000003
【図２】
2010540288.tif 000004
【図３】
2010540288.tif 000005
【図４】
2010540288.tif 000006
【図５】
2010540288.tif 000007
【図６】
2010540288.tif 000008
【図７】
2010540288.tif 000009
【図８】
2010540288.tif 000010
【図９】
2010540288.tif 000011
【図１０】
2010540288.tif 000012
【図１１】
2010540288.tif 000013
【図１２】
2010540288.tif 000014
【図１３】
2010540288.tif 000015
【図１４】
2010540288.tif 000016
【図１５】
2010540288.tif 000017
【図１６】
2010540288.tif 000018
【手続補正書】
【提出日】平成22年9月30日(2010.9.30)
【手続補正１】
【補正対象書類名】明細書
【補正対象項目名】００３６
【補正方法】変更
【補正の内容】
【００３６】
図１５には、最終組立前の枠（１）と外側カバー（２）とが示されている。この枠の左手端縁は、ポケットの真上に位置決めされて見えており、このポケットの中に左手端縁は配置されて、一体化されたシステムを完成する。これに加えて、図１６には、一旦、外側カバー（２）の内側にあるポケット（４）の開いた端縁（３）に挿入された枠（１）の外観が示されている。図１６には、留め合わされると枠を外側カバーにロックして、システムを完成させる、枠にある面ファスナー型取付箇所（５）と外側カバーの右手側にある面ファスナー型取付箇所（６）とも示されている。
本保護システムは、頑丈で再使用可能な内側枠と、交換可能な外側カバーとを備え、調節可能で接着剤不使用である。外側カバーが無いときは、剛性の表および裏表紙パネルと、本の表紙を入れるポケットと、背を支持する可撓性で平坦な帯とだけが見えている。枠の幅は、表紙パネルの後ろに置かれ、背支持帯の有効な長さと収容可能な本のその後の大きさとを制御する摺動機構によって、調節可能にされている。
本の表紙を前述のポケットに入れ、大きさを適切に調節すると、枠は、外側カバーに固定される。本のページをさらに保護してもよく、本は、外側カバーをその一方または両方の端部に構築されたフラップを介して閉じた状態で固定することによって、完全に包まれる。
【手続補正２】
【補正対象書類名】特許請求の範囲
【補正対象項目名】全文
【補正方法】変更
【補正の内容】
【特許請求の範囲】
【請求項１】
ペーパーバックおよびハードカバーの本、雑誌、専門誌、定期刊行物、ならびに関連する製本された読み物、筆記材料および教材を事故による損傷または長期的磨耗および裂けから保護するための、モジュラー設計の、調節可能なシステムであって、
‐容易に交換可能な外側カバーを形成する安定化枠組みを備え、
‐前記枠組みは、本の表表紙および裏表紙を各々支持する２つの剛性の裏打ちパネルを含み、
‐前記パネルは、鏡像位置で対称的に位置決めされているので、開いた本を半分にしたもの２つを表わし、
‐前記パネルの各々の表側に、表表紙および裏表紙を所定の位置に保持するように位置決めされた好ましくはポケットまたは縦方向のストラップの形態の表紙ホルダが取付けられており、
‐前記枠組みパネルは、内側縦方向端縁が、可撓性帯などの１本以上の摺動構成部品で相互に接続されており、
‐前記帯は、枠組みパネルの各々の内側縦方向端縁近くにある横方向に同等のスリットを通して、かつスリットを通して誘導されることによって、本の背を支持するように配置されており、
‐背支持帯の利用可能な可撓性長さを決定するために、速やかに外すことができる面ファスナー型または他の薄型の留め具を用いる、システム。
【請求項２】
前記スリットは、幅のより狭い剛性パネルの縦方向端縁近くにある横方向に同等の箇所に位置決めされており、
‐前記幅のより狭いパネルは、枠組みの調節機構の最大２つの摺動構成部品のうち１つとして働き、
‐前記摺動構成部品のうち最大１つは、枠組みパネルの各々の後方に位置決めされており、
‐そこから前記摺動構成部品は、鏡像位置で対照的に位置決めされ、
‐枠組みの外側端縁と枠組みの内側端縁にあるスリットの列との間の位置で、枠組みに固定され、
‐前記摺動構成部品の位置決めは、背支持帯の利用可能な可撓性長さと、安定化枠組みに行う調節の程度とを決定する、請求項１に記載の本保護システム。
【請求項３】
２つ以上の前記枠組みユニットが、背合わせの配置で最も内側の枠組みパネルが合体さた状態で使用されるので、２つ以上の本が収容されることを可能にしている、請求項１および２に記載の本保護システム。
【請求項４】
前記枠組みの裏打ちパネルは、剛性または非剛性の材料から作られている、請求項１から３に記載の本保護システム。
【請求項５】
前記背支持帯は、輪状または線状であり、一連のスリットを通して編まれるのではなく前記帯の端部がその後直接貼付けられている、請求項１から４に記載の本保護システム。
【請求項６】
前記外側カバーは、容易に交換可能ではなく永久または半永久的であるようなやり方で前記枠組みと完全に一体化されていて、枠組みか外側カバーかのいずれかが修理を必要とするときにのみ前記外側カバーが取外し可能であるように設計されていることを意味する、請求項１から５に記載の本保護システム。
【請求項７】
前記外側カバーは、全端縁の周りを封止可能であるので、前記外側カバーに耐候、耐水
、防水または気密にされる能力を提供する、請求項１から６に記載の本保護システム。
【請求項８】
前記外側カバーの本体は、１つ以上の材料からなる、請求項１および７に記載の本保護システム。
【請求項９】
前記外側カバーは、しおり、ポケット、ペンホルダおよび持ち手などの外部の役立つ器具の組込みのために変形されている、請求項１から８に記載の本保護システム。
【請求項１０】
前記外側カバーは、背を含みかつ背を取囲む領域に特に関連して、枠の一部のみを覆うように小型化されている、請求項１、２、３、４、５、６、８および９に記載の本保護システム。
【請求項１１】
‐前記交換可能な外側カバーは、少なくとも１つの表面が大部分滑らかで中央領域が好ましくは可撓性で全体寸法が調節された安定化枠組みより大きい1枚の材料で構成され、
‐前記外側カバーの滑らかな内側表面は、安定化枠組みと一体化されており、
‐前記一体化は、速やかに外すことができる面ファスナー型または他の薄型留め具を用いて多数の箇所で行われ、
‐前記多数の箇所は、摺動構成部品または平坦な帯のいずれの機能および可撓性も損なわない箇所である、請求項１から１０のいずれかに記載の本保護システム。
【請求項１２】
前記外側カバーの十分に長い残りの任意の長さは、保護重複フラップとして使用されて、速やかに外すことができる面ファスナー型または他の薄型留め具を用いて外側カバーを外側カバーの別の部分または枠組みに固定することによって、外側カバーを閉じた状態にロックしてもよいことを特徴とする、請求項１から１１のいずれかに記載の本保護システム。
【国際調査報告】
2010540288.tif 000019
2010540288.tif 000020
2010540288.tif 000021